(57)【特許請求の範囲】
【請求項１】
建物の開口部上端の枠または壁面に取り付けられる吊りレールと引戸の上端に取り付けられる戸側レール及び前記両レール内をそれぞれ転動する吊りレール用ローラ装置と戸側レール用ローラ装置を設けたスライダーから構成される吊り引戸装置であって、スライダーは少なくとも二箇所に設けられた吊りレール用ローラ装置により水平状態に保持されて左右に移動してその一端が吊りレールの端部から吊りレールの長さの１／２の長さ分突出できるように構成し、引戸はスライダーの少なくとも二箇所に設けられた戸側レール用ローラ装置により水平状態に保持されて吊りレールの長さの１／２の長さ分左右に移動できるように構成すると共に、吊りレール用ローラ装置と戸側レール用ローラ装置はそれぞれ取り付け位置を上下にずらしてある２個のローラから構成し、吊りレール及び戸側レールにおけるローラの上部転動面と下部転動面との間隔を各ローラ装置の上部ローラの上端から下部ローラの下端間の間隔と等しくなるように設定し、吊りレール用ローラ装置と戸側レール用ローラ装置のローラは、最大径部分をローラの中心からスライダー側に偏倚させた形状とし、ローラ外周の断面形状を、前後のローラがそれぞれ転動する吊りレールと戸側レールのローラ転動部の断面形状と略同一となるようにしたことを特徴とする吊り引戸装置。
【発明の詳細な説明】
【０００１】
【発明の属する技術分野】
本発明は、建物の開口部の幅の長さの吊りレールで開口部を開閉することができる吊り引戸装置に関するものである。
【０００２】
【従来の技術】
従来から吊りレールを転動するランナーによって開口部を開閉する吊り引戸があるが、引戸が開口部を開閉するためには吊りレールの長さは少なくとも引戸の移動距離の２倍の長さがなければならなかった。
【０００３】
【発明が解決しようとする課題】
従って、開口部の建具枠にスイング式のドアを取り付けてある建具を吊り引戸に変えたい場合、引戸の移動距離を確保するために少なくとも開口部の幅の２倍の長さの吊りレールを用意し、これを建具枠の上枠に上枠から左右方向にはみ出した状態で取り付けなければならず、体裁が非常に悪いだけでなく、このような吊りレールを取り付けるためには、吊りレールの建具枠からはみ出した部分を壁面に固定するためのスペーサを介在させる必要があって、現実問題としては実施不能であり、建具枠を取り外した後、壁に引戸の格納部を形成して吊りレールを隠す手段によって改変していた。
【０００４】
【発明の目的】
本発明は、建具枠を取り外したり、開口部を広げたりすることなくスイング式のドアを吊り引戸に改変することができる吊り引戸装置を提供することを目的とするものである。
【０００５】
【課題を解決するための手段】
本発明に係る吊り引戸装置は、建物の開口部上端の枠または壁面に取り付けられる吊りレールと引戸の上端に取り付けられる戸側レール及び前記両レール内をそれぞれ転動する吊りレール用ローラ装置と戸側レール用ローラ装置を設けたスライダーから構成される吊り引戸装置であって、スライダーは少なくとも二箇所に設けられた吊りレール用ローラ装置により水平状態に保持されて左右に移動してその一端が吊りレールの端部から吊りレールの長さの１／２の長さ分突出できるように構成し、引戸はスライダーの少なくとも二箇所に設けられた戸側レール用ローラ装置により水平状態に保持されて吊りレールの長さの１／２の長さ分左右に移動できるように構成したことを特徴とするものである。
【０００６】
【発明の作用】
引戸の閉鎖状態において、引戸を開放するとき、スライダーが吊りレール内を転動する吊りレール用ローラ装置の作用によって吊りレールの端部から吊りレールの長さの１／２分突出し、引戸がスライダーの戸側レール用ローラ装置によって吊りレールの長さの１／２分移動して開放する。
【０００７】
【発明の実施の形態】
本発明に係る吊り引戸装置の実施の形態を図面について具体的に説明する。
【０００８】
図１は、本発明装置の閉鎖状態における正面図、図２は、開放途中におけるける同正面図、図３は、開放状態における同正面図、図４は、吊りレールの拡大側面図、図５は、エンドキャップの斜視図、図６は、スライダーの斜視図、図７は、図４のＡ部拡大正面図、図８は、本発明装置の取り付け状態における縦断側面図である。
【０００９】
１は、本発明装置を構成する吊りレールであって、建具枠の上枠Ｆ等に複数のＬ字形の金具を介して取り付けられる部材に図８のようにネジにて取り付けられている。
【００１０】
２は、引戸Ａの上端に取り付けられる戸側レールであって、前記吊りレール１と戸側レール２は同じレール材を上下反転させて使用すればよいように吊りレール１の断面形状と同じ断面形状をしており、吊りレール１及び戸側レール２の長さは引戸Ｄの横幅と略同じ長さとなるようにしてある。
【００１１】
３は、前記吊りレール１及び戸側レール２を転動する吊りレール用ローラ装置４、４及び戸側レール装置５、５を設けたスライダーで、正面形状が平行四辺形をしており、各ローラ装置４、５は正背対称的に取り付けられている。
【００１２】
ローラ装置４、５は、図７のように軸芯の位置が上下にずれた２個のローラ４ａ、４ｂ、５ａ、５ｂから構成され、ローラ４ａの上端からローラ４ｂの下端間の間隔及びローラ５ａの上端からローラ５ｂの下端間の間隔が後述する吊りレール１及び戸側レール２のローラ転動面の間隔Ｌと等しくなるようにしてある。
【００１３】
吊りレール１は、ローラ装置４の上部ローラ４ａが転動する上部転動面１ａと下部ローラ４ｂが転動する下部転動面１ｂが正背対称的に形成されており、上部転動面１ａと下部転動面１ｂとの間隔がＬとなるように設定してあり、戸側レール２の場合も吊りレール１と上下対称形状であり、ローラ装置５の上部ローラ５ａが転動する上部転動面と下部ローラ５ｂが転動する下部転動面が正背対称的に形成されている。
【００１４】
上部転動面１ａ、２ａと下部転動面１ｂ、２ｂとの間隔がそれぞれＬとなるように設定し、ローラ装置４、５の上部ローラの上端から下部ローラの下端間の間隔が吊りレール１及び戸側レール２のローラ転動面の間隔Ｌとなるように設定してある理由は、ローラ装置４、５の上部ローラ４ａ、５ａ、下部ローラ４ｂ、５ｂがそれぞれのローラ転動面を転動するときに上下にガタつきが生じたり、スライダー３が伸長したときにスライダー３が傾斜しないようにするためである。
【００１５】
６は、スライダー３が伸長したときにローラ装置４、５のローラに当接してスライダー３がレール１、２から脱落しないようにするレール１、２両端に嵌着固定されるエンドキャップであって、図５のようにローラ当接部５１とスライダー３が通過できるスリット５２が形成されている。
【００１６】
次に、本発明装置の具体的用法を図１乃至図３について説明する。
【００１７】
図１の引戸の閉鎖状態において、引戸を開放方向即ち左方向に押すと、先ずスライダー３の戸側レール用ローラ装置５、５の各ローラ５ａ、５ｂに案内されて戸側レール２つまり引戸Ｄが図２の如く開口部の幅の１／２の位置迄移動する。
【００１８】
引戸Ｄがこの位置迄移動すると、戸側レール２の右側のエンドキャップ５のローラ当接部５１が右側のローラ装置５のローラ５ａに当接するから、更に引戸Ｄが左方向に移動するときにスライダー３が引戸Ｄと一体となって移動することになる。
【００１９】
スライダー３の移動は、吊りレール用上側ローラ装置４、４の各ローラ４ａ、４ｂが吊りレール１内を転動することによって行われ、左側のローラ装置４のローラ４ｂが左端部のエンドキャップ５に当接する位置迄つまり開口部の幅の１／２の距離だけ移動し、図３のように引戸Ｄが開放する。
【００２０】
上記引戸Ａの移動は、説明を簡単にするため先ず引戸Ｄがスライダー３の戸側レール用ローラ装置５、５に案内されて移動し、次いでスライダー３の吊りレール用ローラ装置４が吊りレール１に案内されて移動するように順を追って説明したが、実際はスライダー３の吊りレール用ローラ装置４が吊りレール１に案内されて移動しながら引戸Ｄがスライダー３の戸側レール用ローラ装置５、５に案内されて移動するものである。
【００２１】
【発明の効果】
以上述べた如く、本発明に係る吊り引戸装置によれば、吊りレールと戸側レールとの間にスライダーを介在させ、引戸がスライダーに対して開口部の幅の１／２移動できるようにし、且つ、スライダーが吊りレールに対して開口部の幅の１／２移動できるようにしたものであるから、開口部の幅と等しい長さの吊りレールによって開口部を開閉できる吊り引戸を提供できるようになったもので、建具枠にスイング式のドアを取り付けてある建具を吊り引戸に変えたい場合、従来のように建具枠を取り外して壁に引戸の格納部を形成する必要もなく建具枠をその儘或いは建具枠の一部を削るだけで簡単に改変することができて便利であり、実用上の効果は多大である。
【００２２】
また、本発明装置は、引戸に変えて展示パネルを使用すれば、段差があり、空間に余裕のない室内で必要な時にパネルを引き出して使用する格納型の展示パネルとすることもできて便利である。
【図面の簡単な説明】
【図１】本発明装置の閉鎖状態における正面図である。
【図２】開放途中におけるける同正面図である。
【図３】開放状態における同正面図である。
【図４】吊りレールの拡大側面図である。
【図５】エンドキャップの斜視図である。
【図６】スライダーの斜視図である。
【図７】図４のＡ部拡大正面図である。
【図８】本発明装置の取り付け状態における縦断側面図である。
【符号の説明】
１…吊りレール  ２…戸側レール  ３…スライダー
４…吊りレール用ローラ装置  ５…戸側レール用ローラ装置
【図１】
0003921650.tif 000002
【図２】
0003921650.tif 000003
【図３】
0003921650.tif 000004
【図４】
0003921650.tif 000005
【図５】
0003921650.tif 000006
【図６】
0003921650.tif 000007
【図７】
0003921650.tif 000008
【図８】
0003921650.tif 000009